(57)【要約】【課題】構造の複雑化やコストアップを防ぎ、作業者の姿勢が崩れた場合に、刈払機が作業者の身体上方にずり上がり、作業者の身体を傷付けるのを抑制できる刈払機用の災害防止バンドを提供する。【解決手段】肩掛式刈払機１Ａを操作する作業者２０が転倒した場合に、肩掛式刈払機１Ａの操作桿先端の刈刃３が作業者２０の足首を切創するのを防ぐ災害防止バンド４０を備える。そして、災害防止バンド４０を、作業者２０の右足大腿部２１に装着されるずり上がり規制バンド４１と、ずり上がり規制バンド４１と肩掛式刈払機１Ａの肩掛けバンド３０とを着脱自在に連結する連結具４３とから構成する。【選択図】  図３
2004236573.tif 000002
【特許請求の範囲】
【請求項１】
刈払機を取り扱う作業者の姿勢が崩れた場合に、刈払機の刈刃が作業者に接触するのを防ぐ災害防止バンドを備えてなることを特徴とする刈払機用の災害防止バンド。
【請求項２】
災害防止バンドを、作業者の大腿部に取り付けられるずり上がり規制バンドと、このずり上がり規制バンドと肩掛式刈払機の肩掛けバンドとを連結する連結具とから構成した請求項１記載の刈払機用の災害防止バンド。
【請求項３】
災害防止バンドを、作業者の大腿部に取り付けられて背負式刈払機に連結されるずり上がり規制バンドから構成した請求項１記載の刈払機用の災害防止バンド。
【発明の詳細な説明】
【０００１】
【発明の属する技術分野】
本発明は、林業等に使用される股ベルト、より詳しくは、刈払機用の災害防止バンドに関するものである。
【０００２】
【従来の技術】
近年、刈払機の使用は林業に止まらず、広く造園工事、建設工事、土木工事等の分野でも見受けられるが、刈払機１の作業は図１１に示すように、依然として立ち姿勢や歩行、機械の運搬を伴う作業であり、重労働が解消されず、労働災害の発生率の高い作業の一つとなっている。特に、林業の下刈作業に刈払機１を使用すると、作業者２０の転倒により刈払機１の刈刃３が作業者２０の足首（特に、足甲部付近）に接触し、切創を招くという災害が多く発生している（図１２、図１３参照）。
この点に鑑み、従来においては、刈払機１の刈刃下方に、保護盤を取り付けて切創事故を防止軽減する技術が提案されている（特許文献１参照）。
【０００３】
【特許文献１】
実開平７‐２８３１８号公報
【０００４】
【発明が解決しようとする課題】
従来の刈払機１は、以上のように刈刃３の下方に、保護盤を取り付けて安全を強化するようにしているが、係る保護盤を取り付けると、構造の複雑化やコストアップを招くこととなる。また、保護盤を取り付けても、刈刃３を完全に隠蔽被覆することは機能上困難である。
したがって、例えば傾斜地で作業に従事する作業者２０が転倒すると、刈払機１が肩掛けバンド３０と共に作業者２０の身体上方にずり上がり、露出した刈刃３が作業者２０の足首を切創するのを有効に防ぐことができない（図１３参照）。この問題は、切創予測個所に対するすね当て等の装着によっても、解消することは困難である。
【０００５】
本発明は、上記に鑑みなされたもので、構造の複雑化やコストアップを防ぎ、作業者の姿勢が崩れた場合に、刈払機が作業者の身体上方にずり上がり、作業者の身体を傷付けるのを抑制防止することのできる刈払機用の災害防止バンドを提供することを目的としている。
【０００６】
【課題を解決するための手段】
本発明においては、上記課題を達成するため、刈払機を取り扱う作業者の姿勢が崩れた場合に、刈払機の刈刃が作業者に接触するのを防ぐ災害防止バンドを備えてなることを特徴としている。
【０００７】
なお、災害防止バンドを、作業者の大腿部に取り付けられるずり上がり規制バンドと、このずり上がり規制バンドと肩掛式刈払機の肩掛けバンドとを連結する連結具とから構成することができる。
また、災害防止バンドを、作業者の大腿部に取り付けられて背負式刈払機に連結されるずり上がり規制バンドから構成することもできる。
【０００８】
ここで特許請求の範囲における刈払機には、肩掛式刈払機（エンジン部と刈刃とを連結した操作桿を肩掛けバンドに吊るし、操作桿のグリップを持って作業する刈払機）と、背負式刈払機（エンジン部を背中に背負い、操作桿のグリップとハンドルを持って作業する刈払機）とが含まれる。この刈払機には、Ｕグリップ、ツーグリップ、ループハンドル、Ｃハンドル等のタイプがあるが、いずれのタイプでも良い。また、肩掛けバンドは、簡易タイプ、腰バンド付きの簡易タイプ、汎用タイプ、十文字タイプ、腰バンド付きの十文字タイプ、バックル付きの十文字タイプ等があるが、いずれでも良い。
【０００９】
作業者の姿勢が崩れた場合とは、少なくとも作業者が何らかの原因（例えば、斜面で足が滑る、小石の飛来、蜂の襲来等）で倒れた場合をいう。また、災害防止バンドのずり上がり規制バンドは、単なるリング状でも良いし、長さの調整機能を有するタイプ等でも良い。連結具は、専用品でも良いし、登山に使用するカラビナ（ｃａｒａｂｉｎｅｒ）等でも良い。さらに、刈払機用の災害防止バンドは、少なくとも送電事業、林業、農業、造園工事、建設工事、土木工事、ゴルフ場等の分野で使用することができる。
【００１０】
本発明によれば、倒れたり、尻餅をつく等して作業者の姿勢が崩れ、刈払機が作業者の身体上方にずり上がろうとすると、ずり上がり規制バンドが刈払機のずり上がり移動を直接間接に制約する。したがって、刈払機の刈刃と作業者との間に空き領域を確保することができ、刈払機の刈刃が作業者の身体に接触するのを抑制することができる。
【００１１】
【発明の実施の形態】
以下、図面を参照して本発明の好ましい実施形態を説明すると、本実施形態における股ベルト、すなわち刈払機用の災害防止バンドは、図１ないし図６等に示すように、刈払機１を操作する作業者２０の作業姿勢が転倒等により崩れた場合に、刈払機１の先端部の刈刃３が作業者２０の足首を切創するのを防ぐ災害防止バンド４０を備えるようにしている。
【００１２】
刈払機１は図１や図３に示すように、例えばツーグリップの肩掛式刈払機１Ａからなり、この肩掛式刈払機１Ａは、エンジン部２と刈刃３とがパイプからなる操作桿４により連結されており、この操作桿４が作業者２０に肩掛けバンド３０を介して着脱自在に吊持される。エンジン部２は、例えば２サイクルの混合ガソリンエンジンからなり、一般的にはダイヤフラムタイプの気化器や自動遠心クラッチ等が設置されており、操作桿４の末端部に装着される。このようなエンジンは、エンジンスイッチの押圧操作、あるいはリコイルグリップが引かれることにより駆動する。
【００１３】
刈刃３は、操作桿４の先端部にギヤケースや飛散防護カバー５と共に締結具等を介し軸支された丸のこ刃からなり、エンジン部２に操作桿４の伝導軸を介して連結されており、エンジン部２の駆動により回転する。操作桿４は、エンジンスイッチ、スロットルレバー、複数のグリップ６、ハンガー７等が配設され、このハンガー７に肩掛けバンド３０が吊り金具３２を介して着脱自在に接続される。また、肩掛けバンド３０は、図１に示す腰当３１て付きの簡易タイプ、図２に示すエンドレスの簡易タイプ、図３や図４に示す腰バンド付きの十文字タイプ等からなり、腰当３１、吊り金具３２、腰バンドがその一部として選択的に併用される。
【００１４】
災害防止バンド４０は、図５や図６に示すように、作業者２０の右足大腿部２１に装着されるずり上がり規制バンド４１と、このずり上がり規制バンド４１と肩掛式刈払機１Ａの肩掛けバンド３０とを着脱自在に連結する軽合金製の連結具４３とから構成される。ずり上がり規制バンド４１は、例えばナイロン製の安価な帯体からなり、その両端部が直接逢着されたり、両端部が着脱自在に接続されたり、あるいは長さ調整用のイタオクリ４２を介して接続されることによりリング状に形成される。さらに、連結具４３は、例えば片側にバネ式ゲートを備えたＤ型やＯ型のカラビナ等からなり、ずり上がり規制バンド４１に着脱自在に嵌め通されて肩掛けバンド３０のバンド部、吊り金具３２、あるいは腰バンドに着脱自在に連結される。
【００１５】
上記構成において、例えば傾斜地で作業者２０が肩掛式刈払機１Ａを使用して刈り払い作業をする場合には、先ず、肩掛けバンド３０とその肩当を正しく身体にあてがい、腰当３１が右腰の適当な個所に位置するよう、肩掛けバンド３０の長さを調整し、腰バンドがあるときにはそれを締める。こうして肩掛けバンド３０を装着したら、右足大腿部２１に、ずり上がり規制バンド４１を嵌めたり、巻いたりする等して装着し、このずり上がり規制バンド４１に連結具４３を嵌め通す。
【００１６】
次いで、肩掛式刈払機１Ａのエンジン部２を始動し、肩掛式刈払機１Ａのハンガー７を肩掛けバンド３０の吊り金具３２に吊持させてバランスを調整し、その後、肩掛けバンド３０のバンド部、吊り金具３２、あるいは腰バンドとずり上がり規制バンド４１とを連結具４３により着脱自在に連結して長さを調整すれば、傾斜地で作業者２０が肩掛式刈払機１Ａを使用して刈り払い作業をすることができる。
【００１７】
作業者２０の作業の際、誤って転倒したりすると、肩掛式刈払機１Ａが肩掛けバンド３０と共に作業者２０の身体上方にずり上がろうとするが、ずり上がり規制バンド４１が肩掛けバンド３０のずり上がりを規制するので、露出した刈刃３が作業者２０の足首よりも上方に移動することがない（図３、図４参照）。したがって、刈刃３が作業者２０の足首を切創するのをきわめて有効に抑制防止することができる。また、災害防止バンド４０を、入手しやすい安価なずり上がり規制バンド４１と連結具４３とから構成するので、著しい構成の簡素化と軽量化を図ることができ、構造の複雑化やコストアップを有効に防止することができるとともに、作業の効率化が大いに期待できる。
【００１８】
なお、本実施形態ではツーグリップ６の肩掛式刈払機１Ａを示したが、なんらこれに限定されるものではない。例えば図７に示すように、比較的広範囲の作業に適するＵグリップタイプの肩掛式刈払機１Ａを使用する場合でも同様である。
【００１９】
次に、図８ないし図１０は本発明の第２の実施形態を示すもので、この場合には、災害防止バンド４０を、作業者２０の右足大腿部２１に装着されて背負式刈払機１Ｂの操作桿４に着脱自在に連結されるずり上がり規制バンド４１とするようにしている。
背負式刈払機１Ｂは、図８や図９に示すように、エンジン部２が作業者２０の背中に背負いバンド８等を介して背負われるとともに、エンジン部２と刈刃３とがフレキシブル軸９により連結され、操作桿４が作業者２０の背負いバンド８に吊り紐１０を介して着脱自在に吊持されており、比較的楽に動かせるという特徴がある。
【００２０】
ずり上がり規制バンド４１は、例えばナイロン製の安価な帯体からなり、その両端部が長さ調整用のイタオクリ４２を介して接続等されることにより、略リング状に形成されており、余剰部が背負式刈払機１Ｂの操作桿４、より詳しくは、グリップ６付近に着脱自在に結束される。その他の部分については、上記実施形態と同様であるので説明を省略する。
【００２１】
上記構成において、例えば傾斜地で作業者２０が背負式刈払機１Ｂを使用して刈り払い作業をする場合には、先ず、右足大腿部２１に、ずり上がり規制バンド４１を嵌めたり、巻いたりする等して装着する。こうして右足大腿部２１にずり上がり規制バンド４１を装着したら、背負式刈払機１Ｂのエンジン部２を始動し、右側の背負いバンド８を右肩にかけるとともに、左側の背負いバンド８を左肩にかけ、背負いバンド８の長さ等を調整する。そして、操作桿４を作業者２０の背負いバンド８に吊り紐１０を介して着脱自在に支持させた後、操作桿４のグリップ６付近とずり上がり規制バンド４１とを着脱自在に連結して長さを調整すれば、作業者２０が背負式刈払機１Ｂを使用して刈り払い作業をすることができる。
【００２２】
作業の際、誤って転倒すると、背負式刈払機１Ｂの操作桿４が作業者２０の身体上方にずり上がろうとするが、ずり上がり規制バンド４１が操作桿４のずり上がりを規制するので、露出した刈刃３が作業者２０の足首よりも上方に移動することがない（図１０参照）。したがって、刈刃３が作業者２０の足首を切創するのをきわめて有効に抑制防止することができる。また、災害防止バンド４０を、入手しやすい安価なずり上がり規制バンド４１のみから構成するので、著しい構成の簡素化と軽量化とを図ることができ、構造の複雑化やコストアップを有効に防止することが可能となる。
【００２３】
なお、上記本実施形態では災害防止バンド４０を、ずり上がり規制バンド４１のみとしたが、なんらこれに限定されるものではない。例えば、災害防止バンド４０を、作業者２０の大腿部２１に取り付けられるずり上がり規制バンド４１と、このずり上がり規制バンド４１と背負式刈払機１Ｂの操作桿４とを連結する連結具とから構成しても良い。また、作業者２０の大腿部２１にずり上がり規制バンド４１を粘着帯を介して取り付け、ずり上がり規制バンド４１の位置ずれを防ぐようにしても良い。さらに、肩掛けバンド３０の吊り金具３２をずり上がり規制バンド４１に取り付けることも可能である。
【００２４】
【発明の効果】
以上のように本発明によれば、刈払機を取り扱う作業者の姿勢が崩れた場合に、刈払機の刈刃が作業者に接触するのを防ぐ災害防止バンドを備えるので、構造の複雑化やコストアップを防ぐことができるという効果がある。また、作業者の姿勢が崩れた場合に、刈払機が作業者の身体上方にずり上がり、作業者の身体を傷付けるのを有効に抑制できる。
【図面の簡単な説明】
【図１】本発明に係る刈払機用の災害防止バンドの実施形態における肩掛式刈払機の使用状態を示す説明図である。
【図２】本発明に係る刈払機用の災害防止バンドの実施形態における肩掛けバンドを示す説明図である。
【図３】本発明に係る刈払機用の災害防止バンドの実施形態における肩掛式刈払機を操作する作業者が転倒した状態を示す説明図である。
【図４】本発明に係る刈払機用の災害防止バンドの実施形態における肩掛式刈払機を操作する作業者が転倒した状態を示す要部拡大説明図である。
【図５】本発明に係る刈払機用の災害防止バンドの実施形態における災害防止バンドを示す説明図である。
【図６】本発明に係る刈払機用の災害防止バンドの実施形態における他の災害防止バンドを示す説明図である。
【図７】本発明に係る刈払機用の災害防止バンドの実施形態におけるＵグリップの肩掛式刈払機を示す斜視図である。
【図８】本発明に係る刈払機用の災害防止バンドの第２の実施形態を示す説明図である。
【図９】本発明に係る刈払機用の災害防止バンドの第２の実施形態における背負式刈払機を示す斜視図である。
【図１０】本発明に係る刈払機用の災害防止バンドの第２の実施形態における背負式刈払機を操作する作業者が転倒した状態を示す説明図である。
【図１１】刈払機を使用した作業状態を示す説明図である。
【図１２】林業の下刈作業時に作業者が転倒した状態を示す説明図である。
【図１３】図１２の作業者が操作する刈払機の刈刃が作業者の足首に接触し、切創が生じる状態を示す説明図である。
【符号の説明】
１          刈払機
１Ａ        肩掛式刈払機
１Ｂ        背負式刈払機
２          エンジン部
３          刈刃
４          操作桿
６          グリップ
７          ハンガー
２０        作業者
２１        右足大腿部（大腿部）
３０        肩掛けバンド
３１        腰当
３２        吊り金具
４０        災害防止バンド
４１        ずり上がり規制バンド
４２        イタオクリ
４３        連結具
【図１】
2004236573.tif 000003
【図２】
2004236573.tif 000004
【図３】
2004236573.tif 000005
【図４】
2004236573.tif 000006
【図５】
2004236573.tif 000007
【図６】
2004236573.tif 000008
【図７】
2004236573.tif 000009
【図８】
2004236573.tif 000010
【図９】
2004236573.tif 000011
【図１０】
2004236573.tif 000012
【図１１】
2004236573.tif 000013
【図１２】
2004236573.tif 000014
【図１３】
2004236573.tif 000015